(57)【要約】【課題】地中に埋設された埋設管を非開削できわめて短期間に能率よく全面補修することができるようにした補修用管を提供することである。【解決手段】円弧状分割リング２の周方向の両端面に鈎部５ａ、５ｂを先端に有するジョイント片３ａ、３ｂと係合溝４ａ、４ｂとを設け、前記鈎部５ａ、５ｂを係合溝４ａ、４ｂに係合して複数の分割リング２を円形に組合わせ、鈎部５ａ、５ｂ間に打込まれる楔１１により複数の分割リング２を互に結合してリング２０を形成する。分割リング２の軸方向の一端面に係合孔８を形成し、軸方向の他端面に係合爪９を設け、係合孔８に対する係合爪９の係合により複数のリング２０を軸方向に連結して補修用管１を形成し、埋設管内において補修用管１の組立を可能とする。【選択図】  図５
2005042756.tif 000002
【特許請求の範囲】
【請求項１】
円弧状分割リングの周方向の両端面に鈎部を先端に有するジョイント片と、前記鈎部が係合可能な係合溝とを、前記両端面の相互間で半径方向に対称の配置となるよう設け、前記分割リングの軸方向一端面に係合孔を形成し、軸方向の他端面にその係合孔に係合可能な係合爪を設け、前記ジョイント片の先端の鈎部が係合溝に係合されるようにして複数の分割リングを円形に組合わせ、半径方向で対向するジョイント片の鈎部間に楔を打込むことにより隣接する分割リングを互に結合してリングを形成し、そのリングの複数を係合孔に係合爪を係合させて軸方向に連結した補修用管。
【請求項２】
前記分割リングの外周面に複数の凹部を設けた請求項１に記載の補修用管。
【請求項３】
前記凹部の底面に突起を設けた請求項２に記載の補修用管。
【請求項４】
前記分割リングを合成樹脂の成形品とした請求項１乃至３のいずれかに記載の補修用管。
【発明の詳細な説明】
【０００１】
【発明の属する技術分野】
この発明は、下水管渠等の地下に埋設された埋設管を補修する際に用いられる補修用管に関するものである。
【０００２】
【従来の技術】
地中に埋設された中、大口径の下水管には遠心力を利用して製造されたヒューム管が主として用いられている。このような下水管は、丈夫であるが酸に対して弱く、管内に滞溜する硫化水素ガス等によって腐食し易く、長年の使用により老朽化して耐久性が低下し、振動等によって破損するおそれがある。
【０００３】
そのため、下水管においては定期的に点検し、下水管渠の状態に応じて補修し、あるいは取り換えるようにしている。
【０００４】
【発明が解決しようとする課題】
ところで、下水管渠の補修に際しては、モルタルを塗布する方法が存在するが、人手による作業であるため、能率が悪く、非常に手間がかかるという問題がある。
【０００５】
一方、老朽化した排水管渠を新しい排水管渠と取り換える方法においては、地面を掘り起こす必要があるため、大がかりな工事となり、工事期間も長く、多大な費用を必要とし、車両や通行の妨げにもなるという問題がある。
【０００６】
この発明の課題は、地中に埋設された排水管渠等の老朽化した埋設管を非開削できわめて短期間に能率よく全面補修することができるようにした補修用管を提供することである。
【０００７】
【課題を解決するための手段】
上記の課題を解決するために、この発明においては、円弧状分割リングの周方向の両端面に鈎部を先端に有するジョイント片と、前記鈎部が係合可能な係合溝とを、前記両端面の相互間で半径方向に対称の配置となるよう設け、前記分割リングの軸方向一端面に係合孔を形成し、軸方向の他端面にその係合孔に係合可能な係合爪を設け、前記ジョイント片の先端の鈎部が係合溝に係合されるようにして複数の分割リングを円形に組合わせ、半径方向で対向するジョイント片の鈎部間に楔を打込むことにより隣接する分割リングを互に結合してリングを形成し、そのリングの複数を係合孔に係合爪を係合させて軸方向に連結した構成を採用したのである。
【０００８】
上記の構成から成る補修用管を用いて下水管渠等の埋設管を全面補修するには、マンホールから埋設管内に多数の分割リングを運び込み、上記埋設管内において、複数の分割リングを周方向に順次連結してリングを形成し、そのリングの複数を軸方向に順次連結して補修用管を形成する。そして、補修用管の外周面と埋設管の内周面間にセメント系充填材を流し込んで補修用管の固定化を図るようにする。
【０００９】
上記のように、この発明に係る補修用管は多数の分割リングを周方向および軸方向に連結する組立て式であるため、老朽化した排水管渠等の埋設管を非開削によってきわめて短期間に能率よく全面改修することができる。
【００１０】
この発明に係る補修用管において、分割リングの外周面に複数の凹部を設けておくと、セメント系充填材が凹部内に侵入して固化するため、補修用管をより強固に固定することができる。この場合、凹部の底面にねじ等の突起を設けておくと、補修用管をさらに強固に固定することができる。
【００１１】
また、分割リングを合成樹脂の成形品とすることにより、コストの低減を図ることができると共に、排水管渠の補修に際して下水の流れも滑らかであり、下水をきわめて円滑に排除処分することができる。
【００１２】
【発明の実施の形態】
以下、この発明の実施の形態を図面に基づいて説明する。図１に示すように、補修用管１は多数の分割リング２から成る。
【００１３】
図５および図６に示すように、分割リング２は円弧状をなし、合成樹脂の成形品とされている。この分割リング２の周方向の一端面には、その分割リング２の内周面に延長するジョイント片３ａと、そのジョイント片３ａの外側に係合溝４ａとが形成されている。また、分割リング２の周方向他端面には分割リング２の外周面に延長するジョイント片３ｂと、そのジョイント片３ｂの内側に係合溝４ｂとが設けられ、ジョイント片３ａ、３ｂおよび係合溝４ａ、４ｂは各端面の全長にわたって延び、一方のジョイント片３ａの先端には他方の係合溝４ｂに対して係合可能な鈎部５ａが設けられている。また、他方のジョイント片３ｂの先端には一方の係合溝４ａに対して係合可能な鈎部５ｂが設けられ、一方の端面に設けられたジョイント片３ａおよび係合溝４ａと他方の端面に設けられたジョイント片３ｂおよび係合溝４ｂは分割リング２の半径方向で対称の配置とされている。
【００１４】
分割リング２の外周面には軸方向に等間隔に並ぶ複数の凹部６が周方向に等間隔に設けられ、各凹部６の底面にねじから成る突起７が設けられている。
【００１５】
また、分割リング２の軸方向の一端面には複数の係合孔８が周方向に等間隔に形成され、軸方向の他端面には上記係合孔８に係合可能な複数の二股状の係合爪９が等間隔に設けられている。
【００１６】
補修用管１の組立てに際しては、複数の分割リング２を各ジョイント片３ａ、３ｂの先端に設けられた鈎部５ａ、５ｂが係合溝４ａ、４ｂに係合されるようにして円形に組合わせ、鈎部５ａ、５ｂの対向部間に形成される空間１０に２本の楔１１を打込むことにより隣接する分割リング２を互に結合してリング２０を形成する。そして、リング２０の複数を軸方向に並べ、係合孔８を係合爪９に係合させて隣接するリング２０を互に連結することにより補修用管１を組立てることができる。
【００１７】
上記のように、複数の分割リング２を周方向に連結してリング２０を形成し、そのリング２０を複数の係合孔８に対する係合爪９の係合により軸方向に連結することによって補修用管１を組立てることができるため、補修用管１をきわめて簡単に形成することができると共に、周方向に並ぶ分割リング２は楔１１の打込みによって互に連結されているため、分割リング２同士を強固に連結することができ、強度的に強い補修用管１を得ることができる。
【００１８】
ここで、軸方向に並ぶリング２０の連結に際し、周方向に並ぶ分割リング２の衝合面が図１に示すように周方向半ピッチ位相がずれるようにしてリング２０同士を互に連結することによって、より強度の強い補修用管１を得ることができる。
【００１９】
上記のような補修用管１を採用して老朽化した下水管渠等の埋設管を補修するに際しては、図７に示すように、マンホール３０から埋設管３１内に分割リング２を運び込み、その分割リング２を周方向に順次連結してリング２０を形成し、そのリング２０を軸方向に順次連結して補修用管１を組立てる。
【００２０】
補修用管１の組立て後、図８に示すように、地上に設置されたポンプ３２を駆動し、そのポンプ３２の吐出口に接続された供給管３３から補修用管１の外周面と埋設管３１の内周面間に形成された隙間に高強度セメント系充填材３４を圧送し、その高強度セメント系充填材３４の養生による固化によって補修用管１の固定化を図る。
【００２１】
ここで、分割リング２の外周面には凹部６が形成されているため、高強度セメント系充填材３４は図９に示すように、上記凹部６に侵入する状態で固化し、しかも凹部６の底面には突起７が形成されているため、セメント系充填材３４に対する分割リング２の結合力は強く、補修用管１をきわめて強固に固定することができる。
【００２２】
【発明の効果】
以上のように、この発明においては、円弧状の分割リングを周方向および軸方向に連結可能としたので、埋設管内において補修用管を組立てることができ、老朽化した埋設管を非開削できわめて短期間に能率よく全面補修することができる。
【００２３】
また、周方向に並ぶ分割リングはジョイント片の先端に設けられた鈎部を係合溝に係合し、その鈎部の対向面間に形成される空間に楔を打込むことによって連結され、また軸方向に並ぶ分割リングは係合孔に係合爪を挿入することによって連結されるため、補修用管をきわめて簡単に強固に組立てることができる。
【図面の簡単な説明】
【図１】この発明に係る補修用管の実施形態を示す斜視図
【図２】図１に示す補修用管の一部分を示す一部切欠平面図
【図３】周方向に並ぶ分割リングの結合部分を示す断面図
【図４】軸方向に並ぶ分割リングの結合部分を示す一部切欠平面図
【図５】軸方向に並ぶ分割リングの分解斜視図
【図６】分割リングと楔を示す分解斜視図
【図７】埋設管内での補修用管の組立て途中の状態を示す縦断正面図
【図８】埋設管とその内側で組立てられた補修用管との間にセメント系充填材を注入している状態の縦断正面図
【図９】埋設管の補修後の状態を示す断面図
【符号の説明】
２  分割リング
３ａ、３ｂ  ジョイント片
４ａ、４ｂ  係合溝
５ａ、５ｂ  鈎部
６  凹部
７  突起
８  係合孔
９  係合爪
１１  楔
【図１】
2005042756.tif 000003
【図２】
2005042756.tif 000004
【図３】
2005042756.tif 000005
【図４】
2005042756.tif 000006
【図５】
2005042756.tif 000007
【図６】
2005042756.tif 000008
【図７】
2005042756.tif 000009
【図８】
2005042756.tif 000010
【図９】
2005042756.tif 000011